(57)【特許請求の範囲】
【請求項１】
複数の送信アンテナからそれぞれ送信される複数の信号を受信アンテナで受信する無線通信装置において、
前記受信アンテナで受信された信号をフーリエ変換し周波数領域の信号に変換する変換手段と、
前記変換された周波数領域の信号及び既知のパイロット信号に基づいて、前記各送信アンテナと前記受信アンテナとの間の各チャンネルに関する伝達関数が多重された伝達関数を推定する第一推定手段と、
前記推定された伝達関数を逆フーリエ変換し時間領域のインパルス応答に変換する逆変換手段と、
前記受信アンテナで受信された信号の受信品質を測定する品質測定手段と、
前記測定された受信品質に応じて切り替えられる、方形窓と緩やかに減衰する形状の窓とを用いて、前記インパルス応答を各チャンネル成分のインパルス応答に分離するチャンネル分離手段と、
前記各チャンネル成分のインパルス応答をそれぞれフーリエ変換することにより各チャンネルの伝達関数をそれぞれ推定する第二推定手段と、
を備える無線通信装置。
【請求項２】
前記チャンネル分離手段は、前記受信品質が所定の閾値より良い場合に方形窓関数を用い、前記受信品質が所定の閾値より悪い場合に緩やかに減衰する形状の窓関数を用いるように切り替える請求項１に記載の無線通信装置。
【請求項３】
前記品質測定手段は、前記周波数領域の信号、前記パイロット信号及び前記第一推定手段により推定された伝達関数を用いて求められる信号対雑音比を前記受信品質として用いる請求項２に記載の無線通信装置。
【請求項４】
複数の送信アンテナからそれぞれ送信される複数の信号を受信アンテナで受信する無線通信装置におけるチャンネル推定及び分離方法において、
前記受信アンテナで受信された信号をフーリエ変換し周波数領域の信号に変換するステップと、
前記変換された周波数領域の信号及び既知のパイロット信号に基づいて、前記各送信アンテナと前記受信アンテナとの間の各チャンネルに関する伝達関数が多重された伝達関数を推定するステップと、
前記推定された伝達関数を逆フーリエ変換し時間領域のインパルス応答に変換するステップと、
前記受信アンテナで受信された信号の受信品質を測定するステップと、
前記測定された受信品質に応じて切り替えられる、方形窓と緩やかに減衰する形状の窓とを用いて、前記インパルス応答を各チャンネル成分のインパルス応答に分離するステップと、
前記各チャンネル成分のインパルス応答をそれぞれフーリエ変換することにより各チャンネルの伝達関数をそれぞれ推定するステップと、
を備えるチャンネル推定及び分離方法。
【発明の詳細な説明】
【技術分野】
【０００１】
本発明は、MIMO（Multiple input Multiple Output: 多入力多出力）-OFDM（Orthogonal Frequency Division Multiplexing：直交周波数分割多重）を利用する無線LAN、移動通信、デジタル放送などにおける無線通信装置、及びチャンネル推定及び分離方法に関し、特に、チャンネルの伝達関数を高精度に推定及び分離することができる無線通信装置、及びチャンネル推定及び分離方法に関する。
【背景技術】
【０００２】
MIMO（Multiple input Multiple Output）システムは、多入力・多出力システムの総称であり、通信分野では、送受信の双方にアレーアンテナを用いて情報伝送を行うシステムを指し、現状、無線LANや移動通信に用いられ、将来的には広帯域ワイヤレス通信への応用が期待されている。【０００３】
広帯域な情報信号をMIMOで取り扱うために、周波数選択性フェージングに強く、周波数利用効率の高い直交周波数分割多重（OFDM : Orthogonal Frequency Division Multiplexing）を利用したMIMO-OFDM無線通信システムの研究も進んでいる。【０００４】
MIMO-OFDM無線通信システムにおいて、伝送路によって生じるサブキャリア毎の振幅及び位相の変動を推定するために、チャンネル伝達関数を推定する必要がある。MIMO-OFDMにおけるチャンネル推定は、送信されたパイロットシンボル（トレーニングシンボル）と受信された信号を用いて、各アンテナからのパイロットシンボルの周波数サブキャリア毎の振幅及び位相の理想状態からの乖離を測定することで求められる。高精度なチャンネル推定を行うことができない場合には、MIMO-OFDMシステムで信頼性のあるデータを復調することが不可能である。【０００５】
従来技術では、いくつかのチャンネル推定方法が知られている。非特許文献１（Y. Li“Simplified channel estimation for OFDM systems with multiple transmit antennas”(IEEE Trans. Wireless Commun., vol. 1, pp. 67-75, January.2002)）は、事前に多くの乗算と多くのIFFT が必要になり、演算量が膨大である。また、非特許文献２（G. Auer "Channel Estimation for OFDM with Cyclic Delay Diversity"（Proc. IEEE PIMRC 2004, Vol.3, pp. 1792-1796, Sept. 2004））は、最小平均二乗誤差（MMSE）を求める時間領域でのWiener filter を使って、チャンネル推定精度の改善を図ると同時にチャンネル分離もできる。MMSE Filter (Wiener filter) はチャンネルの事前統計特性が必要であるが、推定により求めることもできる。しかし、受信側は一般的にチャンネルの既知統計特性を知らない。チャンネルの統計特性の推定は、相関などの計算が必要になり、演算が複雑となり、演算量も多い。また、雑音と干渉などが大きい場合は、推定精度の問題もある。なお、本願発明に係る先行技術文献としては、以下の文献に開示されたものがある。
【非特許文献１】Y. Li, "Simplified channel estimation for OFDM systems with multiple transmit antennas", "IEEE Trans. Wireless Commun.", vol.1, pp. 67-75, January.2002
【非特許文献２】G. Auer, "Channel Estimation for OFDM with Cyclic Delay Diversity", "Proc. IEEE PIMRC2004", Vol.3, pp.1792-1796, Sept.2004
【特許文献１】特開２００４−１８０３１３号公報
【発明の開示】
【発明が解決しようとする課題】
【０００６】
そこで、本発明の目的は、MIMO-OFDM 無線通信において、簡単な方法で高精度のチャンネル推定とチャンネル分離が可能な無線通信装置、及びチャンネル推定及び分離方法を提供することにある。
【課題を解決するための手段】
【０００７】
上記目的を達成するための本発明の無線通信装置は、複数の送信アンテナからそれぞれ送信される複数の信号を受信アンテナで受信する多入力システムにおける無線通信装置において、前記受信アンテナで受信された信号をフーリエ変換し、あらかじめ与えられたパイロット信号に基づいて各送信アンテナとの間の各チャンネルの伝達関数が多重された伝達関数を推定するチャンネル推定手段と、前記推定された伝達関数を逆フーリエ変換し、時間領域のインパルス応答に変換し、ローパスフィルタ特性を有する窓関数を用いて、当該インパルス応答を各信号のチャンネルインパルス応答に分離するチャンネル分離手段とを備え、前記チャンネル推定手段は、当該各チャンネルのインパルス応答をフーリエ変換して、各チャンネルの伝達関数を推定することを特徴とする。【０００８】
また、上記目的を達成するための本発明のチャンネル推定及び分離方法は、多入力システムにおけるチャンネル推定及び分離方法において、複数の送信アンテナからそれぞれ送信される複数の信号を受信アンテナで受信するステップと、前記受信アンテナで受信された複数の信号をフーリエ変換し、あらかじめ与えられたパイロット信号に基づいて各送信アンテナとの間の各チャンネルの伝達関数が多重された伝達関数を推定するステップと、前記推定された伝達関数を逆フーリエ変換して時間領域のインパルス応答に変換し、ローパスフィルタ特性を有する窓関数を用いて、当該インパルス応答を各チャンネルのインパルス応答に分離するステップと、当該各チャンネルのインパルス応答をフーリエ変換し、各チャンネルの伝達関数を推定するステップとを備えることを特徴とする。【０００９】
上記本発明の無線通信装置、及びチャンネル推定及び分離方法において、好ましくは、送信アンテナから送信される複数の信号は、直交周波数分割多重(OFDM)変調される。【００１０】
また、上記目的を達成するための本発明の無線通信装置は、受信アンテナで受信された信号をフーリエ変換し周波数領域の信号に変換する変換手段と、この変換された周波数領域の信号及び既知のパイロット信号に基づいて、複数の送信アンテナの各々と上記受信アンテナとの間の各チャンネルに関する伝達関数が多重された伝達関数を推定する第一推定手段と、この推定された伝達関数を逆フーリエ変換し時間領域のインパルス応答に変換する逆変換手段と、上記受信アンテナで受信された信号の受信品質を測定する品質測定手段と、この測定された受信品質に応じて切り替えられる窓関数を用いて、前記インパルス応答を各チャンネル成分のインパルス応答に分離するチャンネル分離手段と、この分離された各チャンネル成分のインパルス応答をそれぞれフーリエ変換することにより各チャンネルの伝達関数をそれぞれ推定する第二推定手段とを備えるというものである。【００１１】
本発明では、品質測定手段により受信信号の受信品質が測定され、この受信品質に応じて、チャンネル分離手段で用いられる窓関数が切り替えられる。この受信品質は、変換手段により変換された周波数領域の信号、既知のパイロット信号及び第一推定手段により推定された伝達関数を用いて求められる信号対雑音比が利用されるようにしてもよい。【００１２】
チャンネル分離手段では、切り替えられた窓関数が用いられることにより、各チャンネル成分が多重されるインパルス応答から各チャンネル成分のインパルス応答が分離される。この分離された各チャンネル成分のインパルス応答は、最終的にそれぞれフーリエ変換されることにより各チャンネルの伝達関数としてそれぞれ出力される。このチャンネル分離手段による窓関数の切り替えは、当該受信品質が所定の閾値より良い場合に方形窓関数が用いられ、当該受信品質が所定の閾値より悪い場合にローパスフィルタ特性を有する窓関数が用いられるように切り替えられるようにしてもよい。【００１３】
このように、本発明によれば、受信品質に応じた特性に合う窓関数が利用されることで各チャンネル成分のインパルス応答が分離されるため、どのような受信環境下においても精度の高いチャンネル推定を行うことができる。例えば、受信品質が良い（信号対雑音比が大きい）場合には方形窓関数が利用されるため、ローパルフィルタ特性を有する窓関数を用いた場合のチャンネル推定値の歪みを低減させることができる。【００１４】
なお、本発明は、以上の何れかの機能をコンピュータに実現させる方法であってもよい。また、本発明は、以上の何れかの機能を実現させるプログラムであってもよい。
【発明の効果】
【００１５】
本発明の無線通信装置、及びチャンネル推定及び分離方法により、より簡単な方法で高精度のチャンネル推定とチャンネル分離が可能となる。また、これにより、ＭＩＭＯシステムにおける無線通信装置のコストと消費電力の低減を図ることができる。
【図面の簡単な説明】
【００１６】
【図１】２つの送信アンテナT1、T2及び２つの受信アンテナR1、R2を有するMIMOシステムの概念図を示す図である。
【図２】２つ送信アンテナを有するMIMO-OFDMシステムにおけるフレームフォーマットを示す図である。
【図３】本発明の実施の形態例における第一のチャンネル推定及び分離方法を説明するブロック構成図である。
【図４】時間領域におけるチャンネル分離を説明する図である。
【図５】４つの送信アンテナT1、T2、T3、T4及び２つの受信アンテナR1、R2、R3、R4を有するMIMOシステムの概念図を示す図である。
【図６】４つ送信アンテナを有するMIMO-OFDMシステムにおけるフレームフォーマットを示す図である。
【図７】本発明の実施の形態例における第二のチャンネル推定及び分離方法を説明するブロック構成図である。
【図８】MIMOシステムにおける受信側無線通信装置の概略ブロック図を示す図である。
【図９】２つの送信アンテナT1、T2及び１つの受信アンテナR1を有するMISO（Multiple input Single output：多入力単出力）システムの概念図を示す図である。
【図１０】本発明の実施の形態例における第三のチャンネル推定及び分離方法を実現する機能部の構成を示すブロック図である。
【図１１】第三の方法におけるＳＮＲが小さい場合のチャンネル分離を説明する図である。
【図１２】第三の方法におけるＳＮＲが大きい場合のチャンネル分離を説明する図である。
【図１３】本実施形態における各チャンネル推定及び分離方法のシミュレーション結果を示すグラフである。
【符号の説明】
【００１７】
１０：高速フーリエ変換部
１２：LSチャンネル推定部
１４：逆高速フーリエ変換部
１６：窓関数
１８、１８Ａ、１８Ｂ：高速フーリエ変換部
２０：加算器
２２：減算器
１００：ガードインターバル除去部
１０２：スイッチ
１０４：高速フーリエ変換部
１０６：コヒーレント検出部
１０８：チャンネル推定部
１１０：最大比合成部
１１２：ＦＥＣデコーダ
５１：信号対雑音比（ＳＮＲ）推定部
５２Ａ、５２Ｂ：窓関数選択／演算部
【発明を実施するための最良の形態】
【００１８】
以下、図面を参照して本発明の実施の形態について説明する。しかしながら、かかる実施の形態例が、本発明の技術的範囲を限定するものではない。【００１９】
本発明は、MIMO-OFDMシステムにおいてCyclic delay preambleを利用する場合、フーリエ変換（具体的には、DFT (Discrete Fourier Transform：離散フーリエ変換)若しくはFFT(Fast Fourier Transform：高速フーリエ変換)）の特性を利用して、時間領域で簡単なLow pass filter 特性を持つwindow 関数（窓関数）を使用することにより、計算が簡単であり且つチャンネルの統計特性からの影響も小さく、マルチアンテナのチャンネルインパルス応答の分離と高精度のチャンネル推定を同時に実現することを可能にする。【００２０】
図１は、２つの送信アンテナT1、T2及び２つの受信アンテナR1、R2を有するMIMOシステムの概念図を示す図である。図１の構成では、送信アンテナT1と受信アンテナR1との間のチャンネルH11、送信アンテナT2と受信アンテナR1との間のチャンネルH21、送信アンテナT1と受信アンテナR2との間のチャンネルH12、送信アンテナT2と受信アンテナR2との間のチャンネルH22が存在する。【００２１】
図２は、２つ送信アンテナを有するMIMO-OFDMシステムにおけるフレームフォーマットを示す図である。各フレームフォーマットにおけるShort Sequence(SS)、Long Sequence(LS)、Signalは、プリアンブルであり、プリアンブルの後ろに、データ(Data)が続く。Long Sequence、Signal及びDataには、ガードインターバル（GI）が付されている。一方のアンテナ（図２における送信アンテナT2）から送信される信号フレームフォーマットのプリアンブルは、他方のアンテナ（図２における送信アンテナT1）から送信される信号フレームフォーマットと識別されるために、送信アンテナT1のフレームフォーマットに対して所定長さ分サイクリックシフト（CS）されている。【００２２】
図３は、本発明の実施の形態例における第一のチャンネル推定及び分離方法を説明するブロック構成図である。具体的には、図３は、２つ送信アンテナを有するMIMO-OFDMシステムにおける受信側無線通信装置のいずれか一つの受信アンテナ（ここでは、一例として、受信アンテナR1とする）で受信される信号に対するチャンネル推定及び分離の機能ブロック図である。【００２３】
まず、受信アンテナR1が送信アンテナT1、T2から送信される信号を受信する。受信アンテナR1は、２つの送信アンテナT1、T2からそれぞれ送信される信号が混合された状態で信号を受信する。【００２４】
受信側無線通信装置における高速フーリエ変換部（FFT）10は、受信信号のLong Sequenceを高速フーリエ変換し、LSチャンネル推定部（LS Estimate）12が、あらかじめ与えられているLong sequenceに基づいて、最小二乗法（Least Square(LS)）を用いてチャンネル推定を行う。すなわち、LSチャンネル推定部（LS Estimate）12には、既知のパイロット信号として、正しいLong sequenceがあらかじめ与えられており、LSチャンネル推定部（LS Estimate）12は、既知のパイロット信号に基づいて、受信した信号に含まれるLong sequenceに対する最小二乗法演算を施し、チャンネル推定を行う。これにより得られる周波数応答（伝達関数）は、２つの送信アンテナT1、T2と受信アンテナR1とのそれぞれのチャンネルH11、H21の周波数応答が重なっている。【００２５】
続いて、逆高速フーリエ変換部(IFFT)14が、チャンネル推定部（LS Estimate）12で推定された周波数応答（チャンネルH11、H21の周波数応答が重なった伝達関数）を時間領域のインパルス応答に変換する。DFT若しくはFFT の特性により、２つのチャンネルのインパルス応答は、時間領域で分離される。ただし、この段階の分離は、各インパルス応答に雑音などが含まれ、２つのインパルス応答は完全に分離されていない。【００２６】
そして、窓関数演算部(Window)16は、分離されたインパルス応答に対して、ローパスフィルタ（Low pass filter）特性を有するWindow関数（窓関数）を用いて、チャンネルごとのインパルス応答に分離する。【００２７】
DFT若しくはFFT の特性により、時間領域の乗算(Window)は周波数領域の畳込み(フィルタ特性)であるので、このローパスフィルタ特性を有するWindow 関数を用いることにより、２つの送信アンテナからのチャンネルインパルス応答の分離と雑音などの低減を同時に実現できる。【００２８】
ローパスフィルタ特性を有するWindow 関数は、例えば、信号処理分野でよく知られているBlackman WindowやHamming Windowなどである。【００２９】
図４は、時間領域におけるチャンネル分離を説明する図である。横軸は時間、縦軸は振幅を表す。図４に示されるように、ローパスフィルタ特性を有するWindow関数（一例として、Blackman Window）により、チャンネルH11、H21が分離される。【００３０】
そして、窓関数(Window)16において完全に分離された時間領域の二つのチャンネルインパルス応答は、再度、高速フーリエ変換部(FFT)18 により周波数応答に変換される。これにより、２つのチャンネルそれぞれに分離された周波数応答（伝達関数）を推定及び分離することができる。得られたチャンネルの伝達関数はチャンネルの等化などに用いられる。【００３１】
図５は、４つの送信アンテナT1、T2、T3、T4及び4つの受信アンテナR1、R2、R3、R4を有するMIMOシステムの概念図を示す図である。図5の構成においても、図１の構成と同様に、各送信アンテナと各受信アンテナ間に１６のチャンネルH11、H12、…、H43、H44が存在する。なお、図示の都合上、１６のチャンネルすべてに参照符号が付されていない。【００３２】
図６は、４つ送信アンテナを有するMIMO-OFDMシステムにおけるフレームフォーマットを示す図である。各フレームは、図２と同様に、Short Sequence(SS)、Long Sequence(LS)、Signalを含むプリアンブルを有し、プリアンブルの後ろに、データ(Data)が続く。Long Sequence、Signal及びDataには、ガードインターバル（GI）が付されている。また、４つのフレームフォーマットをそれぞれ識別するために、プリアンブルに２つのLong Sequence(LS)(Part 1, Part 2)が設けられ、送信アンテナT1に対して、送信アンテナT2、T3、T4のLS は、Part 1及びPart 2共に、それぞれ1600ns、100ns、1700nsサイクリックシフト(CS)され、さらに、送信アンテナT3、T4のLS Part 2は、マイナス符号が付され反転状態にされる。【００３３】
図７は、本発明の実施の形態例における第二のチャンネル推定及び分離方法を説明するブロック構成図である。具体的には、図７は、４つ送信アンテナを有するMIMO-OFDMシステムにおける受信側無線通信装置のいずれか一つの受信アンテナ（ここでは、一例として、受信アンテナR1とする）で受信される信号に対するチャンネル推定及び分離の機能ブロック図である。【００３４】
まず、受信アンテナR1が送信アンテナT1、T2、T3、T4から送信される信号を受信する。受信アンテナR1は、４つの送信アンテナT1、T2、T3、T4からそれぞれ送信される信号が混合された状態で信号を受信する。【００３５】
受信側無線通信装置における高速フーリエ変換部（FFT）10Aは、受信信号のLong Sequence (LS) Part 1を高速フーリエ変換し、高速フーリエ変換部（FFT）10Bは、受信信号のLong Sequence (LS) Part 2を高速フーリエ変換する。そして、LSチャンネル推定部（LS Estimate）12Aは、あらかじめ与えられているLong sequence (LS) Part 1に基づいて、最小二乗法（Least Square(LS)）を用いてチャンネル推定を行い、LSチャンネル推定部（LS Estimate）12Bは、あらかじめ与えられているLong sequence (LS) Part 2に基づいて、最小二乗法（Least Square (LS)）を用いてチャンネル推定を行う。図３の構成と同様に、各LSチャンネル推定部（LS Estimate）12A、12Bには、既知のパイロット信号として、それぞれ正しいLong sequence (LS) Part 1、Part 2があらかじめ与えられており、LSチ
ャンネル推定部（LS Estimate）12A、12Bは、既知のパイロット信号に基づいて、受信した信号に含まれるLong sequenceに対する最小二乗法演算を施し、チャンネル推定を行う。これにより得られる周波数応答（伝達関数）は、４つの送信アンテナT1、T2、T3、T4と受信アンテナR1とのそれぞれのチャンネルH11、H21、H31、H41の周波数応答が重なっている。【００３６】
続いて、逆高速フーリエ変換部(IFFT)14A、14Bが、それぞれLSチャンネル推定部（LS Estimate）12A、12Bで推定された周波数応答（チャンネルH11、H21、H31、H41の周波数応答が重なった伝達関数）を時間領域のインパルス応答に変換する。逆フーリエ変換により、４つのチャンネルのインパルス応答は、時間領域で分離される。ただし、この段階の分離は、各インパルス応答に雑音などが含まれ、４つのインパルス応答を完全に分離しきれていない。【００３７】
逆フーリエ変換部14A、14Bからの出力は、それぞれ、加算器(addition)20、減算器(Subtraction)22に入力される。図５に示したように、送信アンテナT3、T4から送信される信号のLong sequence (LS)は、Part 1とPart 2で符号が反対である。従って、逆高速フーリエ変換部(IFFT)14A、14Bからの出力を加算することで、送信アンテナT3、T4とのチャンネルH31、H41成分は消去され、加算器(addition)20からは、送信アンテナT1、T2とのチャンネル成分H11、H21を含むインパルス応答が出力される。なお、逆フーリエ変換部14A、14Bからの２つの出力が合算されているため、加算器(addition)20による合算値は、２で除算され、出力される。【００３８】
一方、図６に示したように、送信アンテナT1、T2から送信される信号のLong sequence (LS)の符号は、Part 1とPart 2で同一である。従って、逆高速フーリエ変換部(IFFT)14A、14Bからの出力を減算することで、送信アンテナT1、T2とのチャンネルH11、H21成分は消去され、減算器(subtraction)22からは、送信アンテナT3、T4とのチャンネル成分H31、H41を含むインパルス応答が出力される。なお、減算器(subtraction)22においても、逆フーリエ変換部14A、14Bからの２つの出力が合算されているため、減算器(addition)20による合算値は、２で除算され、出力される。【００３９】
そして、窓関数演算部(Window)16A、16Bは、分離されたインパルス応答に対して、ローパスフィルタ（Low pass filter）特性を有するWindow関数（窓関数）を用いて、チャンネルごとのインパルス応答に分離する。具体的には、窓関数演算部(Window)16Aは、加算器(Addition)20からの出力に含まれるチャンネルH11、H21のインパルス応答を分離し、窓関数演算部(Window)16Bは、減算器(Subtraction)22からの出力に含まれるチャンネルH31、H41のインパルス応答を分離する。【００４０】
上記第一の実施の形態と同様に、FFT の特性により、時間領域の乗算(Window)は周波数領域の畳込み(フィルタ特性)であるので、このローパスフィルタ特性を有するWindow 関数を用いることにより、それぞれ２つの送信アンテナからのチャンネルインパルス応答の分離と雑音などの低減を同時に実現できる。また、ローパスフィルタ特性を有するWindow関数は、例えば、Blackman WindowやHamming Windowなどである。【００４１】
窓関数(Window)16A、16Bにおいて完全に分離された時間領域の４つのチャンネルインパルス応答は、それぞれ、高速フーリエ変換部(FFT)18A、18B により再度周波数応答に変換される。これにより、４つのチャンネルそれぞれに分離された周波数応答（伝達関数）を推定及び分離することができる。【００４２】
図８は、MIMOシステムにおける受信側無線通信装置の概略ブロック図を示す図である。図８は、一例として２つの受信アンテナを有する無線通信装置の構成が示される。各受信アンテナで受信された信号は、まず、ガードインターバル除去部(GI Removal)100A、100Bにより、ガードインターバル(GI)が除去される。スイッチ(SW)102A、102Bは、受信信号のうちのLong sequence (LS)とそれ以外の部分を識別し、Long sequence (LS)をチャンネル推定部108に出力し、それ以外の部分を高速フーリエ変換部(FFT)104A、104Bに出力するように切り替わる。【００４３】
チャンネル推定部(Channel Estimation)１０８は、上述の図３または図7の構成を有し、受信したLong sequence (LS)に対して、あらかじめ与えられているLong sequence (LS)に基づいて、チャンネルの推定及び分離を実施する。【００４４】
コヒーレント検出部(Coherent Detection)106A、106Bは、それぞれ高速フーリエ変換部(FFT)104A、104Bからの出力に対して、チャンネル推定部108で得られた伝達関数を用いて、各受信アンテナでの受信信号に対応する元の送信信号を求める。そして、コヒーレント検出部106A、106Bからの出力は、最大比合成部(Maximum Ratio Combining)110に入力され、受信電力に応じた重み付き合成、すなわち最大比合成される。【００４５】
そして、FEC(Forward Error Correction)復号部(FEC Decoder)112により、誤り訂正復号され、送信信号のデータ系列が再生される。FEC復号部(FEC Decoder)112における復号は、例えば、ビタビ復号が用いられる。ビタビ復号におけるパスメトリック(path metric) は各チャンネルの周波数応答による重み付けが行われてもよい。【００４６】
上述の実施形態例における第一及び第二のチャネル推定及び分離方法では、窓関数演算部(Window)１６、１６Ａ、１６Ｂが、分離されたインパルス応答に対してBlackman WindowやHamming Window等のローパスフィルタ（Low pass filter）特性を有するWindow関数（窓関数）を用いることにより、チャンネルごとのインパルス応答に分離していた。以下に述べる第三のチャネル推定及び分離方法では、この窓関数演算部(Window) １６、１６Ａ、１６Ｂで利用される窓関数を信号対雑音比（以降、ＳＮＲ（Signal Noise Ratio）と表記する）に応じて切り替えるようにするものである。【００４７】
以下、本発明の実施の形態例における第三のチャネル推定及び分離方法について図１０を用いて説明する。図１０は、本発明の実施の形態例における第三のチャンネル推定及び分離方法を実現する機能部の構成を示すブロック図である。以下の説明では、２つの送信アンテナを有するMIMO-OFDMシステムにおける受信側無線通信装置を例に挙げる（図１参照）。図１０には、当該受信側無線通信装置のいずれか一つの受信アンテナ（ここでは、一例として、受信アンテナＲ１とする）で受信される信号に対し、第三のチャンネル推定及び分離の機能を担う各機能部（回路部）が示されている。第三のチャネル推定及び分離方法を実現する機能部としては、ＳＮＲ推定部５１（本発明の品質測定手段に相当）が新たに設けられ、窓関数演算部１６に代え窓関数選択／演算部（Window Selection）５２Ａ及び５２Ｂ（本発明のチャンネル分離手段に相当）が設けられたことを除いては、第一及び第二の方法の場合と同様である。なお、高速フーリエ変換部１０は本発明の変換手段に相当し、ＬＳチャンネル推定部１２が本発明の第一推定手段に相当し、逆高速フーリエ変換部１４が本発明の逆変換手段に相当し、高速フーリエ変換部１８、１８Ａ及び１８Ｂが本発明の第二推定手段に相当する。【００４８】
受信アンテナＲ１には、送信側無線通信装置の２つの送信アンテナＴ１、Ｔ２からそれぞれ送信される信号が混合された信号が受信され、この受信信号のうちのLong Sequence（図２参照）（以降、ＬＳ信号と表記する）が高速フーリエ変換部１０に入力される。高速フーリエ変換部１０は、入力されたＬＳ信号をＦＦＴ若しくはＤＦＴにより周波数領域の信号に変換する。このとき、変換された信号は、各サブキャリアに対応する信号成分に分離することができる。各サブキャリアに対応するＬＳ信号（図１０に示すｙ（ｋ）。ｋはサブキャリア番号を示す）はそれぞれＳＮＲ推定部５１及びＬＳチャンネル推定部１２に入力される。【００４９】
ＬＳチャンネル推定部１２は、高速フーリエ変換部１０から渡されるＬＳ信号の元となるＬＳ信号、すなわち、送信側無線通信装置が送信したものと同じＬＳ信号を各サブキャリアについて予めそれぞれ保持している（図１０に示すｐ（ｋ））。この元となるＬＳ信号は、例えば既知のパイロット信号として予め保持される。ＬＳチャンネル推定部１２は、この予め保持されるＬＳ信号ｐ（ｋ）に基づいて、高速フーリエ変換部１０から出力される各サブキャリアに対応するＬＳ信号ｙ（ｋ）を最小二乗法（Least Square(LS)）演算し、チャンネル推定を行う。これにより得られる各サブキャリアの周波数応答（伝達関数）（図１０に示すＨ（ｋ））は、２つの送信アンテナＴ１、Ｔ２と受信アンテナＲ１との間のチャンネルＨ１１及びＨ２１の周波数応答が重なった状態のものである。この周波数応答Ｈ（ｋ）は、逆高速フーリエ変換部（ＩＦＦＴ）１４及びＳＮＲ推定部５１に渡される。【００５０】
信号対雑音比（ＳＮＲ）推定部５１は、ＬＳチャンネル推定部１２と同様に、既知の信号としてＬＳ信号ｐ（ｋ）を予め保持している。ＳＮＲ推定部５１は、保持されているＬＳ信号ｐ（ｋ）、高速フーリエ変換部１０から出力されるＬＳ信号ｙ（ｋ）、及びＬＳチャンネル推定部１２から出力される周波数応答Ｈ（ｋ）に基づき、ＳＮＲを算出する。このＳＮＲ推定部５１によるＳＮＲ算出手法を下記式（１）に示す。下記式（１）におけるＫは使用されているサブキャリア数を示す。算出されたＳＮＲは、各窓関数選択／演算部（Window Selection）５２Ａ及び５２Ｂにそれぞれ入力される。【００５１】
【数１】
0004486992.tif 000002
【００５２】
逆高速フーリエ変換部(IFFT)１４は、ＬＳチャンネル推定部１２から渡された各サブキャリアについての周波数応答（チャンネルＨ１１及びＨ２１の周波数応答が重なった伝達関数）をＩＦＦＴ若しくはＩＤＦＴにより時間領域の信号（インパルス応答）に変換する。変換されたインパルス応答は、各窓関数選択／演算部（Window Selection）５２Ａ及び５２Ｂにそれぞれ入力される。【００５３】
なお、この時点でのインパルス応答は、ＤＦＴ若しくはＦＦＴの特性により、２つのチャンネル成分に分離することができる。しかし、この段階では、各チャンネルのインパルス応答にそれぞれ雑音成分等が含まれているため完全な分離をすることができない。よって、チャンネル毎のインパルス応答に完全に分離させるため以降の窓関数選択／演算部５２Ａ及び５２Ｂにより処理される。【００５４】
窓関数選択／演算部５２Ａ及び５２Ｂは、逆高速フーリエ変換部１４から受けた各サブキャリアについてのチャンネルインパルス応答に所定の窓関数（Window関数）をそれぞれ掛け合わせる。このとき、窓関数選択／演算部５２Ａ及び５２Ｂは、ＳＮＲ推定部５１から受けたＳＮＲに基づいて、掛け合わせるべき窓関数を選択する。具体的には、窓関数選択／演算部５２Ａ及び５２Ｂは、ＳＮＲ閾値（例えば、３０デシベル（ｄＢ））を保持しており、ＳＮＲ推定部５１から受けたＳＮＲが当該ＳＮＲ閾値より大きいか否かを判断し、大きい場合には方形窓（Rectangular Window）を選択し、小さい場合にはBlackman WindowやHamming Window等のローパスフィルタ（Low pass filter）特性を有する窓関数を選択する。【００５５】
一般的に、方形窓は主成分の周波数分解能に優れ、Hamming Window等は主成分から少し離れた小さな信号成分の周波数分解能に優れるという特性があることが知られている。窓関数選択／演算部５２Ａ及び５２Ｂは、これら窓関数の特性に応じて、そのときの受信信号のインパルス応答に合う窓関数を選択する。【００５６】
このような窓関数選択／演算部５２Ａ及び５２Ｂにより実行される時間領域での乗算（Window）は、周波数領域の畳み込み（フィルタ特性）であるので、窓関数選択／演算部５２Ａ及び５２Ｂは、２つの送信アンテナからのチャンネルインパルス応答の完全分離と雑音などの低減とを同時に実現する。窓関数選択／演算部５２Ａは、逆高速フーリエ変換部１４から受けた各サブキャリアに関するチャンネルインパルス応答から一つ目のチャンネル成分をそれぞれ分離させ、窓関数選択／演算部５２Ｂは、同各サブキャリアに関するチャンネルインパルス応答から二つ目のチャンネル成分をそれぞれ分離させる。【００５７】
図１１は、第三の方法におけるＳＮＲが小さい場合のチャンネル分離を説明する図である。図１２は、第三の方法におけるＳＮＲが大きい場合のチャンネル分離を説明する図である。両図とも横軸は時間（サンプル）、縦軸は振幅を示す。【００５８】
窓関数選択／演算部５２Ａ及び５２Ｂは、ＳＮＲ推定部５１から受けたＳＮＲが当該ＳＮＲ閾値より小さいと判断した場合には、図１１に示されるように、ローパスフィルタ特性を有する窓関数を逆高速フーリエ変換部１４から受けたチャンネルインパルス応答に掛け合わせることにより、チャンネルインパルス応答のチャンネル成分Ｈ１１とチャンネル成分Ｈ２１とを分離する。一方、窓関数選択／演算部５２Ａ及び５２Ｂは、ＳＮＲ推定部５１から受けたＳＮＲが当該ＳＮＲ閾値より大きいと判断した場合には、図１２に示されるように、方形窓関数を逆高速フーリエ変換部１４から受けたチャンネルインパルス応答に掛け合わせることにより、チャンネル成分Ｈ１１とチャンネル成分Ｈ２１とを分離する。分離された各サブキャリアに関するチャンネルインパルス応答の各チャンネル成分は、それぞれ高速フーリエ変換部(FFT)１８Ａ及び１８Ｂに入力される。【００５９】
なお、このとき、掛け合わせる窓関数のサンプル幅は、図２に示すフレームフォーマットにより決まるため、窓関数選択／演算部５２は、利用されるフレームフォーマットに合致するサンプル幅に関する情報を予め保持し、それを用いるようにしてもよい。同様に、２つ目のチャンネル情報（図１１及び１２の右側に示すサンプル）を分離させるための窓関数の開始位置についても予め保持されるようにしてもよい。図２に示されるフレームフォーマット例では、送信アンテナＴ２におけるLong Sequenceのサイクリックシフトが１６００ナノ秒（ｎｓ）と決められているため、サンプリング間隔を２０メガヘルツ（ＭＨｚ）とした場合には上記サンプル幅は３２と決められる。これにより、図１２に示す方形窓が利用される場合には、窓関数選択／演算部５２Ａは、サンプル１からサンプル３２までのサンプル幅で方形窓関数をチャンネルインパルス応答に掛け合わせ、窓関数選択／演算部５２Ｂは、サンプル３３からサンプル６４までのサンプル幅で方形窓関数をチャンネルインパルス応答に掛け合わせる。【００６０】
高速フーリエ変換部１８Ａ及び１８Ｂは、窓関数選択／演算部５２Ａ及び５２Ｂにおいて完全に分離された時間領域の二つのチャンネルインパルス応答を受け、それぞれＦＦＴ若しくはＤＦＴにより各サブキャリアに関する各チャンネルの周波数応答に変換する（図１０に示すＨ１ｘ（ｋ）及びＨ２ｘ（ｋ）。ｘは受信アンテナ番号となる）。このように、推定及び分離された各サブキャリアに関する各チャンネルの周波数応答（伝達関数）は、チャンネル等化等の他の機能部により利用される。【００６１】
上述したように、第三のチャンネル推定及び分離方法では、ＳＮＲ推定部５１により、既知のＬＳ信号ｐ（ｋ）、高速フーリエ変換部１０から出力されるＬＳ信号ｙ（ｋ）、及びＬＳチャンネル推定部１２から出力される周波数応答Ｈ（ｋ）に基づき、ＳＮＲが算出される。そして、このＳＮＲとＳＮＲ閾値との関係により、各窓関数選択／演算部５２Ａ及び５２Ｂにおいて、当該ＬＳ信号ｙ（ｋ）が逆高速フーリエ変換部１４により変換されたチャンネルインパルス応答に掛け合わせるべき窓関数が選択される。ＳＮＲがＳＮＲ閾値より大きい場合には、方形窓が選択され、ＳＮＲがＳＮＲ閾値より小さい場合には、ローパスフィルタ特性を有する窓関数が選択される。チャンネルインパルス応答は選択された窓関数が掛け合わされることにより、それに含まれる各チャンネル成分に分離され、各高速フーリエ変換部１８Ａ及び１８Ｂで各チャンネルの周波数応答に再変換される。【００６２】
このように、第三のチャンネル推定及び分離方法によれば、ＳＮＲが小さい場合には、Blackman等のローパスフィルタ窓により雑音等を低減することができ、ＳＮＲが大きい場合には、方形窓を使うことによりローパルフィルタ窓を使った場合のチャンネル推定値の歪みを低減させることができるため、どのような受信環境下においても精度の高いチャンネル推定を行うことができる。また、空間インタリーブを行う通信システムにおいても、当該方法は有効である。【００６３】
図１３は、上記本実施形態における各チャンネル推定及び分離方法のシミュレーション結果を示すグラフである。図１３の横軸はＳＮＲを示し、縦軸はパケット誤り率（ＰＥＲ）を示す。このシミュレーションでは、図１３の凡例に示すように以下に示す４つのモデルが用いられている。「Ideal Channel」が計算上の理想値を示し、「Adaptive」が第三の方法を示し、「Rectangle Window」が方形窓を用いた場合を示し、「Blackman Window」が第一及び第二の方法に対応するローパスフィルタ特性を有する窓関数を用いた場合を示している。【００６４】
図１３のシミュレーション結果では、ＳＮＲが小さい場合には方形窓の性能が劣化することを示しているが、ＳＮＲが大きい場合にはBlackman Windowの性能劣化が生じていることを示している。第三の方法「Adaptive」のようにＳＮＲによる窓関数選択を用いればどんな状況においてもベストな性能をとることが分かる。【００６５】
なお、第三のチャンネル推定及び分離方法に関する上述の例では、２つの送信アンテナを有するMIMO-OFDMシステムにおける受信側無線通信装置を挙げたが、第一及び第二の方法と同様に、４つの送信アンテナ及び４つの受信アンテナを有するシステム（図５参照）でも対応可能であることはいうまでもない。その場合には、Long Sequence Part1及びPart2に関しそれぞれＳＮＲを算出するようにし、算出されたＳＮＲに基づき各ＬＳに関してそれぞれ窓関数選択／演算を行うようにすればよい。また、上述の例では、２種類の窓関数（方形窓関数及びローパルフィルタ特性を有する窓関数）を切り替える構成としたが、それ以上の種類の窓関数を特性に応じて切り替えるようにしてもよい。また、Long Sequenceについて、その使用するサブキャリアの数はＩＦＦＴの点数と同じにしてもよい。【００６６】
上記本実施の形態例では、チャンネル推定処理のためにあらかじめ与えられる既知情報（パイロット信号）として、プリアンブルのLong Sequence (LS)を例に説明したが、パイロット信号は、Long Sequence (LS)に限られず、例えば、DATA内のサブキャリアとして、パイロット信号が与えられてもよい。また、FFT WINDOWのスタート位置がGI以内の場合、時間領域のWindowを右シフトして、各チャンネルのインパルス応答を抽出する。【００６７】
上記本実施の形態例のMIMOシステムは、MIMO-OFDM無線通信システムについて説明したが、多入力単出力(MISO)−OFDM無線通信システムの実施形態（図９）にも適用可能である。また、変調方式は、OFDMに限られず、通常のFDM (Frequency Division Multiplexing：周波数分割多重）や他の適用可能な変調方式であってもよい。
【産業上の利用可能性】
【００６８】
本発明の無線通信装置は、無線ＬＡＮや移動通信に適用可能な多入力システムに利用され、ローパスフィルタ特性を有する窓関数若しくは方形窓関数を用いることで、比較的簡単な演算で、高精度なチャンネル推定及び分離が可能となる。
【図１】
0004486992.tif 000003
【図２】
0004486992.tif 000004
【図３】
0004486992.tif 000005
【図４】
0004486992.tif 000006
【図５】
0004486992.tif 000007
【図６】
0004486992.tif 000008
【図７】
0004486992.tif 000009
【図８】
0004486992.tif 000010
【図９】
0004486992.tif 000011
【図１０】
0004486992.tif 000012
【図１１】
0004486992.tif 000013
【図１２】
0004486992.tif 000014
【図１３】
0004486992.tif 000015